(57)【要約】【課題】製品の歩留まりを低下させることができるとともに、金型の長寿命化を図ることができるロータリー式樹脂成形機を提供すること。【解決手段】パリソンを成形加工するための二片一対で構成される複数対の金型２１と、複数対の金型２１の配置が同一円周上となるように連結する連結手段２と、連結手段を回転させる回転手段３と、回転手段３による連結手段２の回転を制御する回転制御手段とを備えており、更に、金型２１を構成する両金型片２１ａの接触面同士が平行となるように支持する平行支持手段２２と、平行支持手段２２により支持される金型片を接離させる金型接離手段１２，２３，２４とを備え、金型接離手段１２，２３，２４は、平行支持手段２２を回転手段３の軸方向と同一方向に水平移動させるものである。【選択図】　図１
2004074512.tif 000002
【特許請求の範囲】
【請求項１】
パリソンを成形加工するための二片一対で構成される複数対の金型と、該複数対の金型の配置が同一円周上となるように連結する連結手段と、該連結手段を回転させる回転手段と、該回転手段による連結手段の回転を制御する回転制御手段とを備えたロータリー式樹脂成形機において、
前記金型を構成する両金型片の接触面同士が平行となるように支持する平行支持手段と、
該平行支持手段により支持される金型片を接離させる金型接離手段とを備え、
該金型接離手段は、前記平行支持手段を前記回転手段の軸方向と同一方向に水平移動させるものであることを特徴とするロータリー式樹脂成形機。
【請求項２】
金型接離手段は、金型を構成する金型片を分離方向へ付勢する付勢手段と、該付勢手段により分離方向へ付勢される金型片を該金型片同士の接触位置まで案内するテーパ部を有する案内手段と、該案内手段により案内される金型片を接触位置にて保持する保持手段とを備えており、
該保持手段による金型片の保持は、連結手段が所定の範囲の角度であることを特徴とする請求項１記載のロータリー式樹脂成形機。
【請求項３】
連結手段は、平行支持手段に対する金型の取付具合を調整するための調整手段を備え、
回転手段は、電動モータを備え、
回転制御手段は、予め前記調整手段による所定の取付具合調整時における連結手段１回転分の前記電動モータの電流値を記憶する記憶手段と、前記電動モータに流れる電流値を計測する計測手段と、該計測手段による計測値データおよび前記記憶手段に記憶の電流値データの両データを比較する比較手段と、該比較手段の比較結果を出力する出力手段とを備えていることを特徴とする請求項１または２に記載のロータリー式樹脂成形機。
【発明の詳細な説明】
【０００１】
【発明の属する技術分野】
本発明は、中空樹脂成形品を製造する樹脂成形機に関し、特に、中空樹脂成形品を成形するための金型片を回転させるロータリー式樹脂成形機に関する。
【０００２】
【従来の技術】
従来より、パリソンに成形加工を施すことにより中空樹脂成形品を製造する樹脂成形機の一タイプとして、二片一対の複数の金型と、該金型の配置が同一円周上となるように連結する連結手段と、該連結手段を回転させる回転手段とを備えているタイプのものが知られている。ここで、各金型を構成する両金型片は、連結手段により、両金型片の配置が扇形となるように配置されている。
【０００３】
従って、上記タイプの樹脂成形機によれば、機械の設置場所が嵩張ることなく、大量の中空樹脂成形品を効率良く製造することができるのである。
【０００４】
【発明が解決しようとする課題】
しかしながら、かかる中空樹脂成形機においては、金型片の移動が水平でないため、金型片同士の接触面の部位に応じて押圧力が異なるという問題点があった。ひいては、成形品にバリ等が発生して歩留まりが低下したり、型の接触面が部位に応じて片摩耗したり、型にひび（クラック）が発生してしまうという問題点があった。
【０００５】
そこで、案出されたのが本発明であって、製品の歩留まりを低下させることができるとともに、金型の長寿命化を図ることができるロータリー式樹脂成形機を提供することを目的としている。
【０００６】
【課題を解決するための手段】
この目的を達成するために請求項１記載のロータリー式樹脂成形機は、パリソンを成形加工するための二片一対で構成される複数対の金型と、該複数対の金型の配置が同一円周上となるように連結する連結手段と、該連結手段を回転させる回転手段と、該回転手段による連結手段の回転を制御する回転制御手段とを備えており、更に、前記金型を構成する両金型片の接触面同士が平行となるように支持する平行支持手段と、該平行支持手段により支持される金型片を接離させる金型接離手段とを備え、該金型接離手段は、前記平行支持手段を前記回転手段の軸方向と同一方向に水平移動させるものである。
【０００７】
この請求項１記載のロータリー式樹脂成形機によれば、複数対の金型は、連結手段により、それら金型の配置が同一円周上となるように連結されており、回転手段による連結手段の回転に伴い、同一円周軌道を描くように回転させられる。ここで、各対の金型は二片一対で構成されており、各金型片は、平行支持手段により、該各金型片の接触面が夫々対向する金型片の接触面と平行となるように支持される。そして、分離状態における両金型片の間にパリソンが供給されると（開放状態における金型に対してパリソンが供給されると）、金型接離手段により、平行支持手段が回転手段の軸方向と同一方向に水平移動され、該平行支持手段により支持される金型片同士が接触させられるのである（金型が閉塞させられるのである）。なお、回転手段による連結手段の回転（停止も含む）は、回転制御手段により制御される。
【０００８】
請求項２記載のロータリー式樹脂成形機は、請求項１記載のロータリー式樹脂成形機において、金型接離手段は、金型を構成する金型片を分離方向へ付勢する付勢手段と、該付勢手段により分離される金型片を該金型片同士の接触位置まで案内するテーパ部を有する案内手段と、該案内手段により案内される金型片を接触位置にて保持する保持手段とを備えている。
【０００９】
請求項３記載のロータリー式樹脂成形機は、請求項１または２に記載のロータリー式樹脂成形機において、連結手段は、平行支持手段に対する金型の取付具合を調整するための調整手段を備え、回転手段は、電動モータを備え、回転制御手段は、予め前記調整手段による所定の取付具合調整時における連結手段１回転分の前記電動モータの電流値を記憶する記憶手段と、前記電動モータに流れる電流値を計測する計測手段と、該計測手段による計測値データおよび前記記憶手段に記憶の電流値データの両データを比較する比較手段と、該比較手段の比較結果を出力する出力手段とを備えている。
【００１０】
以下、添付図面を参照して、本発明の好ましい実施例について説明する。
勿論、下記実施例は本発明の好ましい実施例を示すに過ぎず、本発明の技術的範囲は、下記実施例そのものに何ら限定されるものではない。
【００１１】
図１に示すように、ロータリー式樹脂成形機１００は、大きく、基台部１と、この基台部１に対して回転可能に軸支されている回転部２と、かかる基台部１に取付固定され、回転部２を回転運動させるための駆動部３とによって構成されている。
【００１２】
基台部１は、角柱材が骨組みされることにより構成されており、この基台部１に対しては、前述の回転部２及び駆動部３に加え、更に、後述する金型２１により成型された製品を冷却するための送風機１１、及び、後述する基台側金型接触部材１２が夫々が取付固定されている。
【００１３】
送風機１１は、後述する金型２１を介して加熱凝固されることにより製造された中空成形品を冷却するためのものであり、中空成形品に対して冷風を吹きかけるものである。基台側金型接触部材１２は、図２に示すように、金型２１を構成する両金型片２１ａ，２１ａを分離位置から接触位置まで移動させるためのものであり、テーパ部１２ａと、保持部１２ｂとによって構成されている。従って、簡素な機構であるにも拘わらず、両金型片２１ａ，２１ａを接触させることができる。
【００１４】
回転部２は、前述の通り基台部１に対して回転可能に軸支されており、図３に示すように、かかる回転部２には、平行支持部材２２を介して、複数の金型２１，…，２１が適宜間隔毎（適宜角度毎）に取り付けられている。金型２１は、二片一対の金型片２１ａ，２１ａによって構成されており、各金型片２１ａは、夫々平行支持部材２２により支持されている。
【００１５】
平行支持部材２２は、前記の通り各金型片２１ａを夫々支持するものであるが、この支持は、両金型片２１ａ，２１ａの接触面同士が平行となるようにされている。そして、接触面同士が平行状態となるように支持された両金型片２１ａ，２１ａが水平移動するので、接触し合った金型片２１ａ，２１ａ同士に均一な圧力を加えることができる。ひいては、成形品の歩留まりを低下することができるとともに、金型片の片減りや損傷を防止することもできる。
【００１６】
かかる平行支持部材２２には、金型分離部材２３と、回転側金型接触部材２４とが設けられている。金型分離部材２３は、平行支持部材２２により支持される両金型片２１ａ，２１ａ同士を所定間隔を空けた状態に分離するためのものであり、４本のシリンダー２３ａ，…，２３ａと、各シリンダー２３ａに外周側に配設されたバネ（想像線にて図示）２３ｂとによって構成されている。従って、簡素な機構であるにも拘わらず、両金型片２１ａ，２１ａの接触面同士が平行となる向きに分離状態を保持することができる。
【００１７】
回転側金型接触部材２４は、金型分離部材２３と平行に配設された、４本のシリンダー２４ａ，…，２４ａと、各シリンダー２４ａの外周側に配設されたバネ（想像線にて図示）２４ｂと、シリンダー２４ａの外側に配設されたローラー部２４ｃとによって構成されている。
【００１８】
そして、図２に示すように、回転側金型接触部材２４が内側に押されることにより両金型片２１ａ同士が接触した場合には、押圧力を外側に逃がすことにより、金型片２１ａが破壊されてしまうことを防止することができるのである。
【００１９】
また、ローラ２４ａが設けられているので、基台側金型接触部材２４の配設部を通過する際に、回転部２の回転運動が阻害されてしまうことを防止することができる。
【００２０】
駆動部３は、前記の通り回転部２を回転駆動するものであるが、この駆動部３には、電動モータ３１と、電流測定手段（図示せず）と、正常時電流記憶手段（図示せず）は、電流比較手段（図示せず）と、比較結果報知手段とによって構成されている。
【００２１】
電流測定手段は、電動モータ３１の負荷電流をリアルタイムに測定するものであり、正常時電流記憶手段は、成形品の品質が良好な場合における回転部２の一回転分の電流値（波形）を記憶するものである。電流比較手段は、電流測定手段により測定される電動モータ３１のリアルタイムな負荷電流波形と、正常時電流記憶手段により記憶される正常時電流波形とを比較するものである。比較結果報知手段は、かかる電流比較手段の比較結果を表示するものであり、具体例としては、電流測定手段により測定されるリアルタイムの負荷電流波形及び、正常時電流記憶手段に記憶された正常時電流波形の両波形が重なり合うようにして表示される。従って、不良な成形品が製造されている場合に、波形のずれている箇所があれば、何れの金型２１により不良品が製造されているのかを特定することができるのである。
【００２２】
次に、以上のように構成されたロータリー式樹脂成形機１００の動作について説明する。まず、パリソンが回転部２の上方から供給される。この上方から供給されるパリソンは、開放状態となっている金型２１の配設箇所に案内される。パリソンが金型２１に案内されると、適宜の位置において金型２１が閉塞される。この際、金型２１は、平行となるように閉塞されるのである。従って、金型２１の閉塞後、金型２１の当接箇所の如何に応じて当接力が異なってしまうことを防止することができる。
【００２３】
また、閉塞された金型２１の内部においては、樹脂成形品が中空となるように、図示しない吸引手段によって吸引されるとともに、金型２１を介して熱が加えられる。金型２１が基台側金型接触部材１２の配設箇所を通過した後、金型２１が開放され、完成した樹脂成形品は、上方へ引っ張り上げられ、次工程に搬送される。
【００２４】
以上、実施例に基づき本発明を説明したが、上記実施例は、本発明の趣旨を逸脱しない範囲内で種々の改良変形が可能であり、本発明の技術的範囲には、それら種々の改良変形が含まれる。
【００２５】
【発明の効果】
請求項１記載のロータリー式樹脂成形機によれば、平行支持手段により、金型を構成する両金型片の接触面同士が平行となるように支持され、金型接離手段により、金型片を支持する平行支持手段が回転手段の軸方向と同一方向に水平移動させられる。従って、両金型片の接触時（金型の閉塞時）に、両金型片の接触面全域に均一な圧力を加えることができるという効果がある。ひいては、成形品の歩留まりを低下することができるとともに、金型片の片減りや損傷を防止することもできる。
【００２６】
請求項２記載のロータリー式樹脂成形機によれば、請求項１記載のロータリー式樹脂成形機の奏する効果を有しており、付勢手段により金型片は分離する方向へ付勢されており、この付勢手段により分離状態とされる金型片は、案内手段により両金型片同士が接触する位置まで案内され、保持手段により、該接触位置にて保持される。従って、金型を接離させる機構を簡素とすることができ、ひいては、低コスト化および省スペース化を実現することができるという効果がある。
【００２７】
請求項３記載のロータリー式樹脂成形機によれば、請求項１または２に記載のロータリー式樹脂成形機の奏する効果に加え、更に、回転手段が電動モータを備えており、この電動モータの電流値は計測手段により計測可能とされており、比較手段により、リアルタイム（実時間）における電動モータの電流値データ、および、予め調整手段による所定具合調整時における連結手段１回転分の電動モータの電流値データの両データが比較される。そして、出力手段により、比較手段による比較結果が出力される。従って、製品の品質と金型の取付位置との因果関係を把握することができるという効果がある。
【図面の簡単な説明】
【図１】本発明の一実施例であるロータリー式樹脂成形機の斜視図である。
【図２】上記ロータリー式樹脂成形機の平面図（正面図）である。
【図３】上記ロータリー式樹脂成形機の平面図（側面図）である。
【図４】上記ロータリー式樹脂成形機を構成する基台側金型接触部材の配設部付近の拡大平面図である。
【図５】上記ロータリー式樹脂成形機の平面図（上面図）である。
【符号の説明】
１　　　基台部
２　　　回転部
３　　　駆動部
１１　　送風機
１２　　基台側金型接触部材
２１　　金型
２１ａ　金型片
２２　　平行支持部材
２３　　金型分離部材
２４　　回転側金型接触部材
１００　ロータリー式樹脂成形機
【図１】
2004074512.tif 000003
【図２】
2004074512.tif 000004
【図３】
2004074512.tif 000005
【図４】
2004074512.tif 000006
【図５】
2004074512.tif 000007